(57)【要約】【課題】  本発明はコネクタに関し、基板側コネクタが金属製パネルの設けられていない場所に取り付けられた場合であっても、ケーブルコネクタが接続された状態で、ラッチ用金具の電位が確実にフレームグランドとなるようにすることを目的とする。【解決手段】  ラッチ用金具４３Ａは、凹部４３Ａａを有し、凹部４３Ａａは底部４３Ａｂを有する。ケーブルコネクタ１１Ａが基板側コネクタ４０Ａと接続された状態で、ラッチ爪部材３０の先端のフック部３０ａはラッチ用金具４３の凹部４３Ａａに係止されて、且つ、フック部３０ａの先端が凹部４３Ａａの底部４３Ａｂに当接した状態となり、ラッチ爪部材３０とラッチ用金具４３とが電気的に導通され、ラッチ用金具４３の電位がフレームグランドとされる。【選択図】  図５
2006228703.tif 000002
【特許請求の範囲】
【請求項１】
ケーブルが延びているケーブルコネクタと、
プリント基板に実装される基板側コネクタとよりなり、
前記ケーブルは、シールド網線を備えた電線を有し、使用状態では、該シールド網線の電位がフレームグランドとされる構成であり、
前記ケーブルコネクタは、金属製のカバーと、このカバーに取り付けてある金属製のラッチ爪部材とを有してなり、該ラッチ爪部材が該金属製のカバーを介して前記シールド網線と電気的に導通している構成であり、
前記基板側コネクタは、金属製であり、電気絶縁性のブロック体に固定してあるラッチ用金具を有する構成であり、
前記ラッチ爪部材が前記ラッチ用金具に係止されて、前記ケーブルコネクタが前記基板側コネクタと接続される構成のコネクタ装置において、
前記ラッチ爪部材の先端のフック部が前記ラッチ用金具の係止部に嵌合して係止された状態で、前記ラッチ爪部材と前記ラッチ用金具とが必ず接触するようにして、前記ラッチ爪部材と前記ラッチ用金具とが電気的に導通されて前記ラッチ用金具の電位がフレームグランドとされる構成としたことを特徴とするコネクタ装置。
【請求項２】
請求項１に記載のコネクタ装置において、
前記ラッチ用金具の係止部は、底部を有する形状であり、
前記ラッチ爪部材の先端のフック部の先端が該係止部の底部に当る構成としたことを特徴とするコネクタ装置。
【請求項３】
請求項１に記載のコネクタ装置において、
前記ラッチ用金具の係止部は、底部を有する形状であり、
前記ラッチ爪部材は、先端にフック部に加えて、該フック部の先端より突き出ているバネ部を有し、
前記ラッチ爪部材のフック部が前記係止部に嵌合して係止された状態で、前記バネ部が該係止部の底部に当る構成としたことを特徴とするコネクタ装置。
【請求項４】
請求項１に記載のコネクタ装置において、
前記ラッチ爪部材の先端のフック部は、ステップ状に幅が広くなる根元部分を有する形状であり、該フック部が前記ラッチ用金具の係止部に嵌合して係止された状態で、フック部の根元部分が該ラッチ用金具に当る構成としたことを特徴とするコネクタ装置。
【請求項５】
請求項１に記載のコネクタ装置において、
前記ラッチ爪部材の先端のフック部は、先端部分から基部部分に向かうにつれて徐々に広くなるテーパ形状となっており、
前記フック部の両側の部分が前記ラッチ用金具の係止部の入り口の縁に当る構成としたことを特徴とするコネクタ装置。
【請求項６】
ケーブルが延びているケーブルコネクタと、プリント基板に実装される基板側コネクタとよりなり、前記ケーブルコネクタは、そのカバーに、前記基板側コネクタに係合されるラッチ爪部材と引っ張り操作されて該ラッチ爪部材によるラッチを解除させるプルタブを備えた構成であり、前記ケーブルコネクタが前記基板側コネクタと接続されてなる構成のコネクタ装置において、
前記ケーブルコネクタは、引っ張り操作された前記プルタブを復帰させるコイルばねを組み込んでなる構成としたことを特徴とするコネクタ装置。
【請求項７】
請求項６に記載のコネクタ装置において、
前記コイルばねは圧縮コイルばねであり、
前記プルタブは、帯板状の腕部に、開口窓及び支持ピン部を有し、
前記圧縮コイルばねは、一端側を前記支持ピン部の周囲に嵌合して、該腕部の一部に係止され、他端側を前記カバーの一部に係止されて、前記開口窓内に収まっている構成としたことを特徴とするコネクタ装置。
【請求項８】
ケーブルが延びているケーブルコネクタと、プリント基板に実装される基板側コネクタとよりなり、前記ケーブルコネクタが前記基板側コネクタと接続されてなる構成のコネクタ装置において、
前記基板側コネクタは、金属板を折り曲げて形成してあるシェルを有し、該シェルにラッチ爪部が形成してある構成であり、
前記ケーブルコネクタは、該ラッチ爪部が係合する係止開口と、該ラッチ爪部が該係止開口に係合しているラッチ状態を解除するラッチ解除機構とを備えた構成としたことを特徴とするコネクタ装置。
【請求項９】
請求項８に記載のコネクタ装置において、
前記ケーブルコネクタのラッチ解除機構は、前記ラッチ爪部を前記係止開口から外に押し出す構成であることを特徴とするコネクタ装置。
【請求項１０】
ケーブルが延びているケーブルコネクタと、プリント基板に実装される基板側コネクタとよりなり、
前記ケーブルコネクタは、そのカバーの側面に、前記基板側コネクタ相手方のコネクタに係合されるラッチ爪部材と、引っ張り操作されて該ラッチ爪部材をラッチを解除させる方向に動かすプルタブとを備えており、該プルタブの先端部が、前記ラッチ爪部材と前記カバーとの間に位置している構成であり、
前記ケーブルコネクタが前記基板側コネクタと接続されてなる構成のコネクタ装置において、
前記ケーブルコネクタの前記カバーは、前記プルタブが引っ張り操作されたときに、前記プルタブの先端部分を、該カバーの側面から離す方向に案内するガイド部を有する構成であり、
前記プルタブが引っ張り操作されたときに、前記プルタブの先端部分が、前記ガイド部によって案内されて変位されて、該ラッチ爪部材をラッチを解除させる方向に動かす構成としたことを特徴とするコネクタ装置。
【請求項１１】
請求項１０に記載のコネクタ装置において、
前記ガイド部は、前記カバーの側面に突き出ている傾斜面部であることを特徴とするコネクタ装置。
【請求項１２】
請求項１０に記載のコネクタ装置において、
前記ガイド部は、前記カバーに形成してある溝部であることを特徴とするコネクタ装置。
【発明の詳細な説明】
【技術分野】
【０００１】
本発明はコネクタ装置に係り、ケーブルコネクタとこれが接続される基板側コネクタとよりなるコネクタ装置に関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、多く採用されつつある。
【背景技術】
【０００３】
図１（Ａ）、（Ｂ）は従来の平衡伝送用コネクタ装置１０を概略的に示す。コネクタ装置１０はケーブルコネクタ１１とこれが接続される基板側コネクタ４０とよりなる。ケーブルコネクタ１１は、電気絶縁性の本体１２に複数のコンタクト１３が並んで組み込んであるコンタクト組立体１４が、金属製のシールドカバー組立体１５内に組み込んであり、シールドカバー１５の背面側からケーブル２０が延びている構成である。複数のコンタクト１３は、対をなす信号コンタクト対とグランドとよりなり、信号コンタクト対とグランドとが交互に並んでいる。ケーブル２０は複数のペア電線２１が束となっており、この束の周囲がシールド編線２２でもって囲んである構成である。各ペア電線２１がコンタクト組立体１２のコンタクトを電気的に接続してある。ケーブル２０の端のシールド編線２２が表面に露出するように処理してある部分２３がシールドカバー組立体１５に固定してある。シールド編線２２の電位がフレームグランドとなっている。ケーブル２０はケーブルコネクタ１１の背面から延びている。シールドカバー組立体１５は第１のカバー１６と第２のカバー１７とを組み合わせてなる。
【０００４】
シールドカバー組立体１５には、その両側にラッチ爪部材３０がその基部のＵ字形状部をシールドカバー組立体１５の一部に嵌合させて組み付けてある。図３は一つのラッチ爪部材３０を示す。また、シールドカバー組立体１５には、プルタブ３５が後方に突き出るように組み付けてある。
【０００５】
基板側コネクタ４０は、略直方体の部分４１ａとこれから前方に突き出た突き出し部４１ｂとよりなる電気絶縁性のブロック体４１の内部にコンタクト４２が並んで組み込んであり、ブロック体４１の両側の部分にラッチ用金具４３がインサート成形されて固定してあり、ラッチ用金具４３の一部がブロック体４１から前方に突き出しており、ブロック体４１のうちの突き出し部４１ｂがシールド部材４４によって覆われており、更に、金属板製のガスケット４５及び金属製のロック部材４６を有する構成である。複数のコンタクト４２は、対をなす信号コンタクト対とグランドとよりなり、信号コンタクト対とグランドとが交互に並んでいる。また、強度を確保するために、ラッチ用金具４３は金属製とされている。
【０００６】
この基板側コネクタ４０は、機器内のプリント基板５０上に実装してあり、且つ、機器の金属製パネル５１にロック部材４６によって固定してある。ガスケット４５と金属製パネル５１とが押し当っている。先端の部分４０ａが機器の金属製パネル５１の開口から突き出している。
【０００７】
ケーブルコネクタ１１は、シールドカバー組立体１５の先端側が基板側コネクタ４０の先端の部分４０ａを囲むように嵌合して、且つ、コンタクト組立体１４が基板側コネクタ４０の先端の部分４０ａの内側に嵌合してコンタクト１３が対応するコンタクト４２と接触されて、且つ、図２に示すように、ラッチ爪部材３０の先端のフック部３０ａがラッチ用金具４３の貫通してある開口４３ａに係止されて、基板側コネクタ４０と接続される。
【０００８】
ケーブルコネクタ１１が基板側コネクタ４０と接続された状態で、シールド編線２２とラッチ用金具４３とは、以下の経路、シールド編線２２、シールドカバー組立体１５、シールド部材４４、金属製パネル５１、ロック部材４６を経て電気的に接続してあり、ラッチ用金具４３の電位はフレームグランドとなっている。
【０００９】
また、プルタブ３５を引いたのちの復帰は、ラッチ爪部材３０自体のすぼまる方向の弾性力がラッチ爪部材３０の傾斜部分３０ｂを介してプルタブ３５を押し戻すように作用することによって行われるようになっている。
【特許文献１】特開２００３−２１７７１５号公報
【発明の開示】
【発明が解決しようとする課題】
【００１０】
近年、基板側コネクタ４０の使用態様が多様化してきており、基板側コネクタ４０が金属製パネル５１の設けられていない場所に取り付けられることもある。
【００１１】
この場合には、ラッチ用金具４３の電位をフレームグランドとする上記の経路が断たれ、ラッチ用金具４３の電位をフレームグランドとする経路は、専ら、ラッチ爪部材３０を介した経路に限られてしまう。しかし、図２に示すように、ラッチ爪部材３０のフック部３０ａは開口４３ａの内部に嵌合しているけれども、ラッチ用金具４３に必ず接触しているとは限らない。よって、ラッチ用金具４３がフレームグランドに対して浮いた状態となってしまうこともあった。このような状態では、ラッチ用金具４３に静電気が帯電し、場合によっては、この帯電した静電気が放電し、信号の平衡伝送に悪影響を与える虞れがあった。
【００１２】
また、特に図３中、角度θが小さくなると、タラッチ爪部材３０自体のすぼまる方向の弾性力だけではプルタブ３５の復帰力が不十分となり、プルタブ３５の復帰が円滑になされない虞れもあった。
【００１３】
そこで、本発明は、上記の点に鑑みなされたコネクタ装置を提供することを目的とする。
【課題を解決するための手段】
【００１４】
そこで、本発明は、ケーブルが延びているケーブルコネクタと、
プリント基板に実装される基板側コネクタとよりなり、
前記ケーブルは、シールド網線を備えた電線を有し、使用状態では、該シールド網線の電位がフレームグランドとされる構成であり、
前記ケーブルコネクタは、金属製のカバーと、このカバーに取り付けてある金属製のラッチ爪部材とを有してなり、該ラッチ爪部材が該金属製のカバーを介してシールド網線と電気的に導通している構成であり、
前記基板側コネクタは、金属製であり、電気絶縁性のブロック体に固定してあるラッチ用金具を有する構成であり、
前記基板側コネクタは、金属製であり、電気絶縁性のブロック体に固定してあるラッチ用金具を有し、
前記ラッチ爪部材が前記ラッチ用金具に係止されて、前記ケーブルコネクタが前記基板側コネクタと接続される構成のコネクタ装置において、
前記ラッチ爪部材の先端のフック部が前記ラッチ用金具の係止部に嵌合して係止された状態で、前記ラッチ爪部材と前記ラッチ用金具とが必ず接触するようにして、前記ラッチ爪部材と前記ラッチ用金具とが電気的に導通されて前記ラッチ用金具の電位がフレームグランドとされる構成としたことを特徴とする。
【発明の効果】
【００１５】
本発明によれば、基板側コネクタが金属製パネルの設けられていない場所に取り付けられる場合でも、ケーブルコネクタが基板側コネクタと接続された状態で、基板側コネクタのラッチ用金具の電位をフレームグランドとすることが出来、ラッチ用金具に静電気が帯電することを回避することが出来る。よって、ラッチ用金具が帯電し、スパーク放電することによって伝送される信号にノイズがのることを防止することが出来る。
【発明を実施するための最良の形態】
【００１６】
次に本発明の実施の形態について説明する。
【実施例１】
【００１７】
図４（Ａ）、（Ｂ）は平衡伝送用コネクタ装置１０Ａを概略的に示す。コネクタ装置１０Ａはケーブルコネクタ１１Ａとこれが接続される基板側コネクタ４０Ａとよりなる。ケーブルコネクタ１１Ａ及び基板側コネクタ４０Ａは、一部を除いて図１（Ａ）、（Ｂ）に示すケーブルコネクタ１１及び基板側コネクタ４０と同じ構成であり、対応する部分には同じ符号を付してその説明は省略する。Ｘ１−Ｘ２はケーブルコネクタ１１Ａの幅方向、Ｚ１−Ｚ２は高さ方向、Ｙ１−Ｙ２はコネクタの挿抜の方向である。
【００１８】
コネクタ装置１０Ａは、ケーブルコネクタ１１Ａが基板側コネクタ４０Ａと接続された状態で、ラッチ用金具４３Ａが確実にフレームグランド電位になるようにして、ラッチ用金具４３Ａに静電気が帯電することが起きない構成としてある。
【００１９】
図５に拡大して示すように、ラッチ用金具４３Ａは、前記のラッチ用金具４３とは相違しており、開口４３ａの代わりに、凹部４３Ａａを有する。凹部４３Ａａは底部４３Ａｂを有する。
【００２０】
同じく図５に示すように、ケーブルコネクタ１１Ａが基板側コネクタ４０Ａと接続された状態で、ラッチ爪部材３０の先端のフック部３０ａはラッチ用金具４３の凹部４３Ａａに係止されて、且つ、フック部３０ａの先端が凹部４３Ａａの底部４３Ａｂにラッチ爪部材３０自体のバネ力で当接した状態にある。
【００２１】
このため、ラッチ爪部材３０とラッチ用金具４３とが電気的に導通し、ラッチ用金具４３Ａは、ラッチ爪部材３０、シールドカバー組立体１５を経てシールド編線２２と電気的に接続され、ラッチ用金具４３Ａの電位はフレームグランドとなる。
【００２２】
このため、基板側コネクタ４０Ａが金属製パネル５１の設けられていない場所に取り付けられた場合であっても、ケーブルコネクタ１１Ａが基板側コネクタ４０Ａと接続された状態で、ラッチ用金具４３Ａの電位はフレームグランドとされており、ラッチ用金具４３Ａに静電気が帯電することが起きない。よって、帯電した静電気がスパーク放電して信号の平衡伝送に悪影響を与える虞れがあるという問題は発生しない。
【００２３】
ケーブルコネクタ１１Ａは、プルタブ３５Ａの復帰が円滑になされる構成としてある。図６はケーブルコネクタ１１Ａを上下反転した姿勢で且つ第２のカバー１７を取外した状態で示す。図９に示すプルタブ３５Ａが、図７及び図８（Ａ）乃至（Ｃ）に示すように、圧縮コイルばね６０と共に、第１のカバー１６Ａの外面に組み込んであり、引かれたプルタブ３５Ａは圧縮コイルばね６０の力によって前方向に復帰するようにしてある。
【００２４】
図９に示すように、略Ｕ字形状のプルタブ３５Ａは、両側の腕部３５Ａａに、開口窓３５Ａｂ及び支持ピン部３５Ａｃが形成してある。第１のカバー１６Ａには、図６及び図８（Ａ）に示すように、及び図８（Ｃ）に拡大して示すように、腕部３５Ａａを摺動可能に支持する支持部１６Ａａと、圧縮コイルばね６０を支持する凹部１６Ａｂが形成してある。
【００２５】
プルタブ３５Ａは、帯板状の腕部３５Ａａを支持部１６Ａａに支持されて第１のカバー１８Ａに取り付けてある。また、圧縮コイルばね６０が、そのＹ２側を支持ピン部３５Ａｃに嵌合されて、且つ、Ｙ２側を凹部１６Ａｂの端面１６Ａｃに係止されて、開口窓３５Ａｂ内及び凹部１６Ａｂ内に組み込んである。第２のカバー１７の側面板部１７ａが腕部３５Ａａ及び圧縮コイルばね６０を覆っている。圧縮コイルばね６０は、プルタブ３５Ａを第１のカバー１６Ａに取り付け、第２のカバー１７はまだ取り付けていない状態で、外側から組み込まれる。
【００２６】
プルタブ３５Ａは、図８（Ｂ）に示すように、圧縮コイルばね６０を圧縮させて引かれる。ラッチ爪部材３０は外側に開かれる。プルタブ３５Ａから手を離すと、主には、圧縮コイルばね６０のばね力でもってＹ２方向に、図８（Ｃ）に示すように、開口３５Ａｂの端が凹部１６Ａｂの端のストッパとしての凸部１６Ａｄに当るまで移動されて円滑に復帰される。また、圧縮コイルばね６０のばね力はプルタブ３５Ａの腕部３５Ａａの厚み範囲内に作用するため、腕部３５Ａａが反ることはない。
【００２７】
ここで、図８（Ｃ）に拡大して示すように、腕部３５Ａａのうち開口３５ＡｂのＹ２側の縁の部分はプルタブ３５Ａの内側に突き出て厚く形成してあり、この部分に支持ピン部３５Ａｃが設けてあり、また、第１のカバー１６Ａに凹部１６Ａｂが形成してあることによって、圧縮コイルばね６０はケーブルコネクタ１１Ａの内側を利用して、腕部３５Ａａの外側面より外側にはみ出ないで設けてある。よって、ケーブルコネクタ１１Ａのサイズを大きくする必要はなく、ケーブルコネクタ１１Ａは従来のケーブルコネクタ１１と同じサイズである。
【００２８】
また、圧縮コイルばね６０に代えて引っ張りコイルばねを設け、プルタブを引っ張りコイルばねの引っ張り力で復帰させるようにすることも可能である。
【実施例２】
【００２９】
次に、基板側コネクタのラッチ用金具をフレームグランド電位とする構成とした別の実施例について説明する。
【００３０】
図１０（Ａ）に示すラッチ爪部材３０Ｂは、先端に、フック部３０Ｂａと、フック部３０Ｂａより長くてフック部３０Ｂａの先端より突き出ているバネ部３０Ｂｂとを有する。図１０（Ｂ）に示すように、フック部３０Ｂａがラッチ用金具４３Ａの凹部４３Ａａに嵌合しており、バネ部３０Ｂｂの先端が凹部４３Ａａの底部４３Ａｂに当接した状態にある。これにより、ラッチ爪部材３０Ｂとラッチ用金具４３Ａとが電気的に導通され、ラッチ用金具４３Ａはラッチ爪部材３０Ｂを経由して必ずフレームグランド電位とされる。
【００３１】
図１１（Ａ）に示すラッチ爪部材３０Ｃはフック部３０Ｃａを有する。このフック部３０Ｃａは、先端の部分３０Ｃｂと基部の部分３０Ｃｃとを有する。先端部分３０Ｂａの幅Ｗ１はラッチ用金具４３の開口４３ａの幅Ｗ１０よりも小さく、基部部分３０Ｃｃの幅Ｗ１は上記の幅Ｗ１０よりも大きい。
【００３２】
図１１（Ｂ）に示すように、先端部分３０Ｃｂが開口４３ａに嵌合した状態で、基部部分３０Ｃｃは必ずラッチ用金具４３に当接した状態となり、ラッチ爪部材３０Ｃとラッチ用金具４３とが電気的に導通され、ラッチ用金具４３は必ずフレームグランド電位とされる。
【００３３】
図１２（Ａ）に示すラッチ爪部材３０Ｄはフック部３０Ｄａを有する。このフック部３０Ｄａは、幅方向の両側の端３０Ｄｄが先端に向かって幅が徐々に狭くなる方向のテーパ形状となっており、先端部分３０Ｄｂの幅Ｗ３はラッチ用金具４３の開口４３ａの幅Ｗ１０よりも小さく、基部部分３０Ｄｃの幅Ｗ４は上記の幅Ｗ１０よりも大きい。両側の端３０Ｄｄは、先端部分３０Ｄｂからみると、基部部分３０Ｄｃに向かうにつれて幅が徐々に広くなるテーパ形状となっている。
【００３４】
図１２（Ｂ）に示すように、先端部分３０Ｄｂが開口４３ａに嵌合した状態で、両側の端３０Ｄｄが必ずラッチ用金具４３のうち開口４３ａの縁に当接した状態となり、ラッチ爪部材３０Ｄとラッチ用金具４３が電気的に導通され、ラッチ用金具４３は必ずフレームグランド電位とされる。
【実施例３】
【００３５】
図１３はコネクタ装置１００を示す。コネクタ装置１００はケーブルコネクタ１０１とこれが接続される基板側コネクタ１２０とよりなり、例えば手袋をした作業者が操作する場所に適用され、サイズは大きい。
【００３６】
基板側コネクタ１２０がラッチ爪部１２１を有し、ケーブルコネクタ１０１が係止用開口１０２及びラッチ解除機構１０３を有する構成である。また、ラッチ解除機構１０２は係止用開口１０２に係合しているラッチ爪部１２１を開口１０２より押し出してラッチを解除する構成である。
【００３７】
基板側コネクタ１２０は、金属板を折り曲げて形成してあるシェル１２２を有し、ラッチ爪部１２１がこのシェル１２２の両側面に形成してある構成である。ラッチ爪部１２１は、先端に、シェル１２２の内側に向いたフック部１２１ａを有する。ラッチ爪部１２１は独立した部品ではないため、コネクタ装置１００は部品点数がその分少なくて済む。
【００３８】
ケーブルコネクタ１０１は、シールド部材１０５で覆われたコネクタ本体１０６を有し、このコネクタ本体１０６の略Ｙ１側半分がハウジング１０７で覆われており、Ｙ１側からケーブル１０８が延びており、且つ、コネクタ本体１０６の内部にラッチ解除機構１０３を有する構成である。また、コネクタ本体１０６の側面のうちハウジング１０７の窓１０７ａの部分には、窓１０５ａがある。
【００３９】
ラッチ解除機構１０３は、図１４に示すラッチ解除部材１１０が、図１５（Ａ）に概略的に示すようにＹ２方向に摺動可能に組み込んである構成である。ラッチ解除部材１１０は、両側の腕部１１１と、腕部１１１間を連結する連結バー部１１２とよりなり、略Ｕ字形状を有する。腕部１１１は、先端にブロック部１１３を有し、基部に操作部１１４を有する。ブロック部１１３は先端に傾斜部１１３ａを有する。
【００４０】
図１３及び図１５（Ａ）に示すように、ブロック部１１３が係止用開口１０２に嵌合しており、操作部１１４が窓１０５ａから突き出ている。ラッチ解除部材１１０は通常は図１５（Ａ）に示すようにＹ１側に位置している。
【００４１】
ケーブルコネクタ１０１は図１５（Ａ）に示す状態からＹ２方向に基板側コネクタ１２０に挿入されて、図１５（Ｂ）に示すように、係止用開口１０２内にラッチ爪部１２１のフック部１２１ａが係合されて、基板側コネクタ１２０と接続される。
【００４２】
ケーブルコネクタ１０１を基板側コネクタ１２０から切り離すときには、操作者は、最初に手で両側の操作部１１４を挟んでＹ２方向に動かす操作をし、次いで、ケーブルコネクタ１０１を掴んでＹ２方向に引く操作をする。手袋をした作業者が操作する場合には、上記の操作はプルタブを引く操作に比べて操作性が良い。
【００４３】
操作部１１４をＹ２方向に動かす操作によって、図１５（Ｃ）に示すように、ラッチ解除部材１１０がＹ２方向に移動され、ブロック部１１３の傾斜部１１３ａがフック部１２１ａを係止用開口１０２の外に押し出され、ラッチが解除される。ケーブルコネクタ１０１をＹ２方向に引く操作によって、図１５（Ｄ）に示すように、ケーブルコネクタ１０１が基板側コネクタ１２０から引き出される。
【００４４】
上記構成のコネクタ装置１００は、ラッチ爪部１２１を基板側コネクタ１２０のシェル１２２に設けていることによって、ＥＭＩ(Electron  magnetic  interference)／ＥＳＤ(Electro-static  discharge)特性が良好である。
【００４５】
なお、上記のラッチ解除部材１１０に代えて、前記のプルタブ３５を設け、プルタブ３５を引く操作によって、ラッチ爪部１２１のフック部１２１ａを係止用開口の外に押し出すようにすることも可能である。
【実施例４】
【００４６】
図１６は本発明の実施例４になる平衡伝送用コネクタ装置のうちのケーブルコネクタ１１Ｅを分解して示す。Ｙ２方向がケーブルコネクタ１１Ｅの先端方向である。コンタクト、基板、ケーブル等の図示は省略してある。ケーブルコネクタ１１Ｅは、図４に示す基板側コネクタ４０Ａに接続される。また、ケーブルコネクタ１１Ｅは、図６中の圧縮コイルばね６０の助けを借りなくても、プルタブ３５Ｅの復帰が円滑になされるように構成してある。図１７は第１のカバー１６ＥのＸ２側へのラッチ爪部材３０及びプルタブ３５Ｅの組み込み状態を示す。図１８は第１のカバー１６Ｅを拡大して示す。図１９（Ａ）、（Ｂ）はプルタブ３５Ｅの先端部分を拡大して示す。図１９（Ｃ）は図１９（Ａ）中、Ｃ−Ｃ線を含むＸ−Ｙ面で断面した図である。
【００４７】
図１６に示すように、ケーブルコネクタ１１Ｅは、第１のカバー１６Ｅに、ラッチ爪部材３０及びプルタブ３５Ｅが組み込んであり、これに、第２のカバー１７Ｅがかぶされている構成である。
【００４８】
プルタブ３５Ｅは、略Ｕ字形状をなし、両側の腕部３５Ｅａの先端部に、図１９（Ａ）乃至（Ｃ）に示すように、両側の腕部３５Ｅａの内側（図１９（Ａ）乃至（Ｃ）中、Ｘ１方向）に張り出た本体部３５Ｅｄと、開口部３５Ｅｅと、Ｚ１及びＺ２方向に突き出ている突起部３５Ｅｆ，３５Ｅｇとを有する。
【００４９】
図１８に示すように、第１のカバー１６Ｅには、そのＸ２側の側面１６Ｅｅのうち、前記腕部３５Ｅａを支持する溝状の支持部１６ＥａのＹ２方向端よりもＹ２方向側に、Ｘ２方向に山形に突き出た突起部１６Ｅｆが形成してある。突起部１６Ｅｆは、ケーブルコネクタ１１Ｅの先端側（Ｙ２方向側）に、Ｙ１方向に変位するにつれてＸ２方向に変位するガイド部としての傾斜面部１６Ｅｇを有する。また、第１のカバー１６Ｅには、突起部１６Ｅｆの隣りの個所に、開口部１６Ｅｈが形成してある。第１のカバー１６ＥのＸ１側の側面にも、上記と同じく傾斜面部及び開口部が形成してある。第２のカバー１７Ｅには、上記の開口部１６Ｅｈに対応した開口部１７Ｅｈが形成してある。
【００５０】
次に、第１のカバー１６Ｅにラッチ爪部材３０及びプルタブ３５Ｅが組み込まれている状態について説明する。
【００５１】
図２０（Ａ）はケーブルコネクタ１１Ｅの突起部１６Ｅｆの付近を拡大して示す。図２１（Ａ）は突起部３５Ｅｆと開口部１６Ｅｈとの部分を拡大して示す。
【００５２】
図１７及び図２０（Ａ）に示すように、プルタブ３５Ｅは、腕部３５Ｅａが支持部１６Ｅａに嵌合して第１のカバー１６Ｅに組み込んであり、本体部３５Ｅｄは、突起部１６ＥｆよりもＹ２側に位置して、且つ、側面１６Ｅｅに当接している。ラッチ爪部材３０は、Ｙ１端側のＵ字形状部を第１のカバー１６Ｅのスリット部に嵌合されて固定してあり、Ｙ２方向に延在しており、途中でプルタブ３５Ｅの腕部３５Ｅａの開口部３５Ｅｅを貫通して、腕部３５ＥａよりもＸ２側に出て、更にＹ２方向に延在している。よって、本体部３５Ｅｄは、ラッチ爪部材３０と第１のカバー１６Ｅの側面１６Ｅｅとの間に位置している。
【００５３】
また、図２１（Ａ）に示すように、突起部３５Ｅｆは開口部１６Ｅｈに嵌合している。突起部３５Ｅｇは、第２のカバー１７の開口部１７Ｅｈに嵌合している。
【００５４】
次に、プルタブ３５Ｅを操作したときの動作について説明する。
【００５５】
ケーブルコネクタ１１Ｅが基板側コネクタ４０Ａと接続されている状態で、操作者が手でもって操作部３５ＥｉをＹ１方向に引くと、図２０（Ｂ）に示すように、本体部３５Ｅｄは突起部１６Ｅｆの傾斜面部１６Ｅｇに乗り上がって、矢印１５０の方向、即ち、Ｙ１とＸ２との間の方向に変位し、ラッチ爪部材３０は本体部３５ＥｄによってＸ２方向に押されて、Ｘ２方向に弾性変形され、ラッチ爪部材３０ａはＸ２方向に変位され、基板側コネクタ４０Ａへのラッチが解除される。
【００５６】
操作部３５ＥｉをＹ１方向に引くと、本体部３５Ｅｄは突起部１６Ｅｆの傾斜面部１６Ｅｇに乗り上がって変位されてラッチ爪部材３０ａの弾性変形は効率良くなされる。よって、ラッチが解除操作は軽く行われる。
【００５７】
ラッチが解除された状態で、図２０（Ｂ）に示すように、本体部３５Ｅｄはラッチ爪部材３０の弾性力によって、Ｘ１方向の力Ｆを作用されている。よって、操作部３５Ｅｉから手を離すと、本体部３５Ｅｄはラッチ爪部材３０から作用される力Ｆによって、傾斜面部１６Ｅｇを矢印１５１に示すように滑り降りて、元の位置へ復帰される。
【００５８】
ここで、本体部３５Ｅｄは傾斜面部１６Ｅｇを滑り降りるように移動するため、本体部３５Ｅｄが途中でラッチ爪部材３０と傾斜面部１６Ｅｇとの間にはさまれてつかえてしまうことは起きず、本体部３５Ｅｄは傾斜面部１６Ｅｇをその麓まで円滑に滑り降り、よって、プルタブ３５ＥのＹ２方向へ元の位置まで移動される復帰動作はラッチ爪部材３０の弾性力によって円滑に行なわれる。
【００５９】
また、本体部３５ＥｄのＹ１方向への最大の移動位置は、突起部３５Ｅｆ、３５Ｅｇが夫々開口部１６Ｅｈ、１７ＥｈのＹ１側の縁に当ることによって決定さる。この最大の移動位置は、本体部３５Ｅｄが山形の突起部１６Ｅｆの頂上を越えないように定めてある。よって、操作部３５ＥｉをＹ１方向に相当に強く引かれた場合でも、本体部３５Ｅｄは本体部３５Ｅｄが突起部１６Ｅｆの頂上を越えず、傾斜面部１６Ｅｇによって案内されており、操作部３５Ｅｉから手を離すと、プルタブ３５Ｅは確実に復帰動作する。
【実施例５】
【００６０】
図２２は本発明の実施例５になる平衡伝送用コネクタ装置のうちのケーブルコネクタ１１ＥＡを分解して示す。ケーブルコネクタ１１ＥＡは図１６に示すプルタブ３５Ｅを有し、図１６に示すケーブルコネクタ１１Ｅとは、第１のカバー１６ＥＡ及び第１のカバー１７ＥＡが相違する。
【００６１】
第１のカバー１６ＥＡは、突起部１６Ｅｆ及び開口部１６Ｅｈに代えて、ガイド部として、スリット状の斜めのガイド溝１６ＥＡｊが形成してある構成である。第２のカバー１７ＥＡは、開口部１６Ｅｈに代えて、ガイド部として、スリット状の斜めのガイド溝１７ＥＡｊが形成してある構成である。
【００６２】
図２３（Ａ）に示すように、突起部３５Ｅｆはガイド溝１６ＥＡｊに嵌合している。突起部３５Ｅｇは、第２のカバー１７のガイド溝１７ＥＡｊに嵌合している。図２４（Ａ）に示すように、本体部３５Ｅｄは、ラッチ爪部材３０と第１のカバー１６ＥＡの側面１６ＥＡｅとの間に位置している。
【００６３】
次に、プルタブ３５Ｅを操作したときの動作について説明する。
【００６４】
ケーブルコネクタ１１Ｅが基板側コネクタ４０Ａと接続されている状態で、操作者が手でもって操作部３５ＥｉをＹ１方向に引くと、図２３（Ｂ）に示すように、突起部３５Ｅｆがガイド溝１６ＥＡｊに案内されて且つ突起部３５Ｅｇがガイド溝１７ＥＡｊに案内されて変位し、図２４（Ｂ）に示すように、本体部３５Ｅｄが矢印１６０の方向、即ち、Ｙ１とＸ２との間の方向に変位し、ラッチ爪部材３０は本体部３５ＥｄによってＸ２方向に押されて、Ｘ２方向に弾性変形され、基板側コネクタ４０Ａへのラッチが解除される。操作部３５ＥｉをＹ１方向に引く操作力は従来に比較して小さくて足りる。
【００６５】
この状態で、本体部３５Ｅｄ及び突起部３５Ｅｆ、３５Ｅｇはラッチ爪部材３０の弾性力によって、Ｘ１方向の力Ｆを作用されている。よって、操作部３５Ｅｉから手を離すと、突起部３５Ｅｆ、３５Ｅｇはラッチ爪部材３０から作用される力Ｆによってガイド溝１６ＥＡｊ、１７ＥＡｊの傾斜縁に沿って矢印１６１に示すように移動されて、元の位置へ復円滑に帰され、本体部３５Ｅｄは元の位置へ円滑に復帰される。
【００６６】
また、本体部３５ＥｄのＹ１方向への最大の移動位置は、突起部３５Ｅｆ、３５Ｅｇが夫々ガイド溝１６ＥＡｊ、１７ＥＡｊのＹ１側の縁に当ることによって決定さる。
【図面の簡単な説明】
【００６７】
【図１】従来の平衡伝送用コネクタ装置をケーブルコネクタと基板側コネクタとを対向させて示す図である。
【図２】ケーブルコネクタが基板側コネクタに接続されているときのラッチ機構の状態を拡大して示す図である。
【図３】ラッチ爪部材を示す図である。
【図４】本発明の実施例１の平衡伝送用コネクタ装置をケーブルコネクタと基板側コネクタとを対向させて示す図である。
【図５】ケーブルコネクタが基板側コネクタに接続されているときのラッチ機構の状態を拡大して示す図である。
【図６】ケーブルコネクタを裏のカバーを取外して且つ表裏反転した姿勢で示す斜視図である。
【図７】図６のケーブルコネクタからプルタブとラッチ爪部材と圧縮コイルばねとを取り出して示す図である。
【図８】プルタブとラッチ爪部材と圧縮コイルばねとを示す図である。
【図９】プルタブを示す斜視図である。
【図１０】別のラッチ爪部材とラッチ状態を示す図である。
【図１１】更に別のラッチ爪部材とラッチ状態を示す図である。
【図１２】更に別のラッチ爪部材とラッチ状態を示す図である。
【図１３】本発明の実施例３のコネクタ装置をケーブルコネクタと基板側コネクタとを対向させて示す図である。
【図１４】ラッチ解除部材を示す図である。
【図１５】ラッチ解除動作を説明する図である。
【図１６】本発明の実施例４のコネクタ装置のケーブルコネクタを分解して示す斜視図である。
【図１７】第１のカバーのＸ２側にラッチ爪部材及びプルタブが組み込まれている状態を示す図である。
【図１８】第１のカバーを拡大して示す斜視図である。
【図１９】プルタブの先端の部分を拡大して示す図である。
【図２０】プルタブを操作したときの本体部の動作を拡大して示す図である。
【図２１】プルタブを操作したときの突起部の動作を拡大して示す図である。
【図２２】本発明の実施例５のコネクタ装置のケーブルコネクタを分解して示す斜視図である。
【図２３】プルタブを操作したときの突起部の動作を拡大して示す図である。
【図２４】プルタブを操作したときの本体部の動作を拡大して示す図である。
【符号の説明】
【００６８】
１０Ａ  平衡伝送用コネクタ装置
１１Ａ  ケーブルコネクタ
１６Ｅｆ  突起部
１６Ｅｇ  傾斜面部
１６Ｅｊ、１７Ｅｊ  開口部
１６ＥＡｊ、１７ＥＡｊ  ガイド溝
１８Ａ  第１のカバー
１８Ａｂ  凹部
３０  ラッチ爪部材
３０ａ  フック部
３０Ｂｂ  バネ部
３０Ｃｃ  基部部分
３０Ｄｄ  端
３５Ａ、３５Ｅ  プルタブ
３５Ａｂ  開口窓
３５Ａｃ  支持ピン部
３５Ｅａ  腕部
３５Ｅｄ  本体部
３５Ｅｅ  開口部
３５Ｅｆ，３５Ｅｇ  突起部
４０Ａ  基板側コネクタ
４３Ａ  ラッチ用金具
４３Ａａ  凹部
４３Ａｂ  底部
６０  圧縮コイルばね
１００  コネクタ装置
１０１  ケーブルコネクタ
１０３  ラッチ解除機構
１１０  ラッチ解除部材
１１３  ブロック部
１１４  操作部
１２０  基板側コネクタ
１２１  ラッチ爪部
１２２  シェル
【図１】
2006228703.tif 000003
【図２】
2006228703.tif 000004
【図３】
2006228703.tif 000005
【図４】
2006228703.tif 000006
【図５】
2006228703.tif 000007
【図６】
2006228703.tif 000008
【図７】
2006228703.tif 000009
【図８】
2006228703.tif 000010
【図９】
2006228703.tif 000011
【図１０】
2006228703.tif 000012
【図１１】
2006228703.tif 000013
【図１２】
2006228703.tif 000014
【図１３】
2006228703.tif 000015
【図１４】
2006228703.tif 000016
【図１５】
2006228703.tif 000017
【図１６】
2006228703.tif 000018
【図１７】
2006228703.tif 000019
【図１８】
2006228703.tif 000020
【図１９】
2006228703.tif 000021
【図２０】
2006228703.tif 000022
【図２１】
2006228703.tif 000023
【図２２】
2006228703.tif 000024
【図２３】
2006228703.tif 000025
【図２４】
2006228703.tif 000026